(57)【要約】      （修正有）【課題】身近な携帯品や身近な場所に着脱を簡易に行うことができ、かつ色彩も愉しむことのできる芳香用具を提供する。【解決手段】芳香剤を浸透または付着させた香り発散体を粘着テープに貼着した状態で使用する帯状の芳香用具であって、芳香用具１は、表面に粘着剤が塗布され裏面に着脱自在の粘着剤が塗布された止着用粘着テープ３と、止着用粘着テープの表面に長手方向Ｆの全長にわたり並列に密接貼着された複数の短冊形状の香り発散体２とからなり、香り発散体は、長辺が止着用粘着テープの幅と同じ長さで長辺を止着用粘着テープの幅方向に合致させて貼着されている。【選択図】図１
0003224607.tif 000002
【実用新案登録請求の範囲】
【請求項１】
芳香剤を浸透または付着させた香り発散体を粘着テープに貼着した状態で使用する帯状の芳香用具であって、前記芳香用具は、表面に粘着剤が塗布され裏面に着脱自在の粘着剤が塗布された止着用粘着テープと、前記止着用粘着テープの表面に長手方向全長にわたり並列に密接貼着された複数の短冊形状の香り発散体とからなり、前記香り発散体は、長辺が前記止着用粘着テープの幅と同じ長さで長辺を前記止着用粘着テープの幅方向に合致させて貼着されていることを特徴とする芳香用具。
【請求項２】
芳香剤を浸透または付着させた香り発散体を粘着テープに貼着した状態で使用する帯状の芳香用具であって、前記芳香用具は、表面に粘着剤が塗布され裏面に着脱自在の粘着剤が塗布された止着用粘着テープと、前記止着用粘着テープの表面に重ねて貼り付けされ前記止着用粘着テープと同じ大きさで表面に粘着剤が塗布された中間粘着テープと、前記中間粘着テープの表面に長手方向全長にわたり並列に密接貼着された複数の短冊形状の香り発散体とからなり、前記香り発散体は、長辺が前記中間粘着テープの幅と同じ長さで長辺を前記中間粘着テープの幅方向に合致させて貼着されていることを特徴とする芳香用具。
【請求項３】
請求項２に記載の芳香用具において、前記止着用粘着テープはクッション性のある厚手のテープとし、前記止着用粘着テープの裏面の長手方向の少なくとも一方の端部近傍には着脱自在の粘着剤の塗布無き部分が設けられていることを特徴とする芳香用具。
【請求項４】
請求項１〜３いずれか１項に記載の芳香用具において、前記香り発散体は、化学繊維とし、かつ個々に異なる色彩が施され、前記香り発散体の粘着テープへの貼着は任意の色彩の組合せ配列によりなされていることを特徴とする芳香用具。
【請求項５】
請求項１〜４いずれか１項に記載の芳香用具において、着脱自在の粘着剤は、易剥離性粘着剤あるいは可剥離性粘着剤であることを特徴とする芳香用具。
【請求項６】
請求項１〜５いずれか１項に記載の芳香用具は、傘の骨組部分に巻き付け止着して使用されることを特徴とする芳香用具。
【請求項７】
請求項１〜５いずれか１項に記載の芳香用具は、帽子や作業用ヘルメットのつば、被服の襟部分やポケット、自動車の室内のうち少なくとも一つの箇所に止着して使用されることを特徴とする芳香用具。
【考案の詳細な説明】
【技術分野】
【０００１】  本考案は、芳香剤を浸透または付着させた香り発散体を粘着テープに貼着した状態で使用する帯状の芳香用具に関するものである。
【背景技術】
【０００２】  屋内外において、香りを楽しむためあるいはリラクゼーションを得るために芳香剤を入れた匂い袋や芳香剤を浸透・付着させた香りグッズなどの芳香用具を身近かに携帯することが従来から行われている。
【先行技術文献】
【特許文献】
【０００３】
【特許文献１】実用新案登録第３１０７２２０号公報
【特許文献２】実用新案登録第３０５０６８７号公報
【特許文献３】特開２０００−５０９２５号公報
【考案の概要】
【考案が解決しようとする課題】
【０００４】  上述の芳香用具には、例えば、特許文献１には芳香剤を浸透させ被服に縫合する芳香テープ、特許文献２には被服やバッグなどの携帯品へ取り付けられる芳香用具、さらに特許文献３には傘の上部中棒に香料を収納したものなどがこれまでに発明・考案されている。
しかしながら、これらの芳香用具はいずれも着脱に手間を要す上、実用面重視のため色彩や視覚に対して考慮されていないものが多かった。【０００５】  本考案は、上記課題を解決するため、身近な携帯品や身近な場所に着脱を簡易に行うことができ、かつ色彩も愉しむことのできる芳香用具の提供を目的とする。
【課題を解決するための手段】
【０００６】  上記目的を達成するために、本考案の芳香用具は、芳香剤を浸透または付着させた香り発散体を粘着テープに貼着した状態で使用する帯状の芳香用具であって、前記芳香用具は、表面に粘着剤が塗布され裏面に着脱自在の粘着剤が塗布された止着用粘着テープと、前記止着用粘着テープの表面に長手方向全長にわたり並列に密接貼着された複数の短冊形状の香り発散体とからなり、前記香り発散体は、長辺が前記止着用粘着テープの幅と同じ長さで長辺を前記止着用粘着テープの幅方向に合致させて貼着されていることを特徴としている。
【考案の効果】
【０００７】  本考案の芳香用具は、香り発散体を複数の構成としているため、香り発散表面積の増大により香りの発散機能を高めかつ芳香成分を長期間保持することができるとともに、曲面や円筒面への貼り付けや巻き付けに柔軟に対応することができる。
また、取り付け対象物へ止着を行う止着用粘着テープの裏面に着脱自在の粘着力の弱い粘着剤を使用しているため、屋内外の身近な携帯品例えば傘の軸やバッグ、また身近な場所例えば被服の襟部分やポケット、帽子や作業用ヘルメットのつば、自動車の室内などに簡単に着脱して香りを愉しむことができる。
さらに本考案の芳香用具に使用される香り発散体は、個々に異なる色彩が施されていることにより、好みに応じて任意の色彩の組合せ配列を行えばオリジナルな芳香用具とすることができるため視覚的にも愉しむことができる。
【図面の簡単な説明】
【０００８】
【図１】本考案に係る芳香用具の斜視図を示す。
【図２】粘着テープに貼着される香り発散体の単体斜視図を示す。
【図３】図１のＡ部の拡大図を示し、ａは第一の考案を、ｂは第二の考案を示す。
【図４】図１のＡ部の拡大図を示し、第二の考案において止着用粘着テープに厚手のテープを使用した場合を示す。
【図５】本考案に係る芳香用具を傘に取り付けた状態を示す図である。
【図６】本考案に係る芳香用具を作業用ヘルメットのつばに取り付けた状態を示す図である。
【考案を実施するための形態】
【０００９】  以下、本考案に係る芳香用具の実施の形態について、図１乃至図６に基づいて説明する。
１は芳香用具、２は芳香剤を浸透または付着させて発香させる短冊形状の香り発散体、３は止着用粘着テープ、４は中間粘着テープを示している。なお、２ａ、２ｂ、２ｃは芳香用具１を構成する複数の香り発散体を示している。複数の香り発散体としている理由は発散表面積を広くし、かつ曲面や円筒面への貼り付けや巻き付けに柔軟に対応できるからである。
【００１０】  また、香り発散体２（２ａ、２ｂ、２ｃ・・・）の素材は請求項４に記載のように化学繊維を使用すれば香り保持機能、コスト及び製作作業性が良く、具体的にはポリエルテルやナイロンなどの合成繊維や再生繊維が使用される。なお、香り発散体の長辺２１の長さは粘着テープ３、４の幅と同じとし、香り発散体の短辺２２の長さは全て同じでもよいし、異なる任意の長さのものを組み合わせてもよい。
【００１１】  請求項１に記載の第一の考案の芳香用具１は、止着用粘着テープ３の表面３１に粘着剤が塗布され止着用粘着テープ３の裏面３２に着脱自在の粘着剤が塗布された止着用粘着テープ３と、前記止着用粘着テープ３の表面３１に長手方向Ｆの全長にわたり並列に密接貼着された複数の短冊形状の香り発散体２ａ、２ｂ、２ｃ・・・とから構成されている。
図３のａは上記構成を示した一部（図１のＡ部）拡大図で、止着用粘着テープ３の表面３１及び裏面３２に粘着剤が塗布された粘着層３１ａ、３２ａを可視化できる程度に実際より厚みを持たせて表示している。
【００１２】  この芳香用具１を使用する際には、香り発散体２に芳香剤を浸透させた後、図示していない止着用粘着テープ３の裏面３２に貼り付けされている剥離紙を剥がして取り付け場所（止着対象箇所）に貼り付けするだけで良い。
なお、この止着用粘着テープ３の裏面３２の粘着剤は、請求項５に記載の粘着力の弱い易剥離性粘着剤あるいは可剥離性粘着剤であるので、芳香用具１を取り剥がす場合には僅かな力で簡易にきれいに取り剥がすことができる。
このように、本考案の芳香用具１は、着脱が容易にできるので発香量が少なくなったときや無くなったときは再度芳香剤を補充して何度も使用することができる。
【００１３】  また請求項２に記載の第二の考案の芳香用具１は、止着用粘着テープ３の表面３１に粘着剤が塗布され止着用粘着テープ３の裏面３２に着脱自在の粘着剤が塗布された止着用粘着テープ３と、前記止着用粘着テープ３の表面３１に重ねて貼り付けされ前記止着用粘着テープ３と同じ大きさで表面４１に粘着剤が塗布された中間粘着テープ４と、前記中間粘着テープ４の表面４１に長手方向Ｆの全長にわたり並列に密接貼着された複数の短冊形状の香り発散体２ａ、２ｂ、２ｃ・・・とから構成されている。
図３のｂは上記構成を示した一部（図１のＡ部）拡大図で、止着用粘着テープ３及び中間粘着テープ４、並びにこれらのテープに塗布された粘着層３１ａ、３２ａ、４１ａを可視化できる程度に実際より厚みを持たせて表示している。
【００１４】  中間粘着テープ４を使用すれば、止着用粘着テープ３が経年変化した際に止着用粘着テープ３のみを取り替えできる利点がある。
この考案に係る芳香用具１の使用方法は第一の考案に係る芳香用具１と同じである。
【００１５】  なお、請求項２に記載の第二の考案の芳香用具１の中間粘着テープ４はその表面４１のみに粘着剤を塗布しているが、裏面にも粘着剤を塗布してもよい。これにより、止着用粘着テープ３と中間粘着テープ４をより強固に粘着することができる。
【００１６】  さらに、請求項３に記載するように、第二の考案の芳香用具１に使用する止着用粘着テープは、通常の薄膜のテープでも良いが、クッション性のある厚手の止着用粘着テープ３３を使用すれば止着対象箇所への芳香液の浸透を防ぐことができる。さらに厚手の止着用粘着テープ３３の裏面３５の長手方向Ｆの少なくとも一方の端部近傍に２〜６ミリメートル程度の着脱自在の粘着剤の塗布が無い部分Ｌを設けていれば芳香用具１を取り剥がす際に指で端部を摘み易いため容易に剥がすことができる。
図４は厚手の止着用粘着テープ３３を使用した場合の一部（図１のＡ部）拡大図で、厚手の止着用粘着テープ３３及び中間粘着テープ４、並びにこれらのテープに塗布された粘着層３４ａ、３５ａ、４１ａを可視化できる程度に実際より厚みを持たせて表示している。
【００１７】  本考案の芳香用具１の香り発散体２ａ、２ｂ、２ｃ・・・は、請求項４に記載のように個々に異なる色彩が施されていることにより、好みに応じて任意の色彩の組合せ配列を行えばオリジナルな芳香用具にすることができるため視覚的にも愉しむことができる。
【００１８】  図５は請求項６に記載の通り本考案に係る芳香用具１を傘５の中軸５１に取り付けた例を示すもので、本考案の芳香用具１は傘５の中軸５１に巻き付けて簡単に固定できるので利便性が良く、雨降り及び暑い日中での外出時の沈みがちな気分を香りで解消することができる。
また、カラフルな本考案の芳香用具を取り付けた傘５は使用者の傘であることが認識できる目印の役割も持たせることもできる。
【００１９】  図６は請求項７に記載の通り本考案に係る芳香用具１の他の応用例を示すもので、作業用ヘルメット６のつば６１などに止着して使用すれば作業時でも好みの香りを愉しむことができる。なお、これ以外でも身近な携帯品や身近な場所・物に取り付けても良い。
【符号の説明】
【００２０】１      芳香用具
２      香り発散体
２ａ、２ｂ、２ｃ  個々の香り発散体
２１    香り発散体の長辺
２２    香り発散体の短辺
３      止着用粘着テープ（第一または第二の考案の芳香用具）
３１    止着用粘着テープ表面
３１ａ  止着用粘着テープ表面の粘着層
３２    止着用粘着テープ裏面（着脱自在の粘着剤塗布面）
３２ａ  止着用粘着テープ裏面の粘着層
３３    厚手の止着用粘着テープ
３４    厚手の止着用粘着テープ表面
３４ａ  厚手の止着用粘着テープ表面の粘着層
３５    厚手の止着用粘着テープ裏面（着脱自在の粘着剤塗布面）
３５ａ  厚手の止着用粘着テープ裏面の粘着層
４      中間粘着テープ（第二の考案の芳香用具）
４１    中間粘着テープ表面
４１ａ  中間粘着テープ表面の粘着層
５      傘
５１    傘の中軸
６      作業用ヘルメット
６１    作業用ヘルメットのつば
Ｆ      長手方向
Ｌ      粘着剤塗布無し部
【図１】
0003224607.tif 000003
【図２】
0003224607.tif 000004
【図３】
0003224607.tif 000005
【図４】
0003224607.tif 000006
【図５】
0003224607.tif 000007
【図６】
0003224607.tif 000008